(57)【要約】【課題】壁際の清掃も行うことができる吸込口体及びこれを備える電気掃除機を提供すること。【解決手段】吸込口体１０は、左右に延びる吸込室１５を有し且つ前記吸込室１５の吸込開口１５ａが底面に開口する吸込口本体１０ａと、前記吸込開口１０ａに沿って配設され且つ前記吸込口本体１０ａに回転駆動可能に保持されたメイン回転清掃体１８を備えている。しかも、吸込口体１０は、前記メイン回転清掃体１８と平行に且つ前記吸込口本体１０ａから前側に突出した状態で前記吸込口本体１０ａに回転自在に保持された壁際用回転清掃体２９と、前記壁際用回転清掃体２９を少なくとも壁際で回転駆動させる駆動手段（駆動モータ２１）を備えている。【選択図】  図７
2006340848.tif 000002
【特許請求の範囲】
【請求項１】
左右に延びる吸込室を有し且つ前記吸込室の吸込開口が底面に開口する吸込口本体と、
前記吸込開口に沿って配設され且つ前記吸込口本体に回転駆動可能に保持されたメイン回転清掃体を備える吸込口体において、
前記メイン回転清掃体と平行に且つ前記吸込口本体から前側に突出した状態で前記吸込口本体に回転自在に保持された壁際用回転清掃体と、前記壁際用回転清掃体を少なくとも壁際で回転駆動させる駆動手段を備えることを特徴とする吸込口体。
【請求項２】
左右に延びる吸込室を有し且つ前記吸込室の吸込開口が底面に開口する吸込口本体と、
前記吸込開口に沿って配設され且つ前記吸込口本体に回転自在に保持されたメイン回転清掃体と、
前記メイン回転清掃体を回転駆動する駆動手段を備える吸込口体において、
前記吸込口本体から前側に突出した状態で前記吸込口本体に回転自在に保持された壁際用回転清掃体を備えていると共に、前記壁際用回転清掃体は前記メイン回転清掃体に連動可能に設けられていることを特徴とする吸込口体。
【請求項３】
請求項２に記載の吸込口体において、前記壁際用回転清掃体は前記メイン回転清掃体と平行に保持されていることを特徴とする吸込口体。
【請求項４】
請求項１又は３に記載の吸込口体において、前記壁際用回転清掃体が壁際まで前進移動したときに、前記壁際を感知して前記壁際用回転清掃体を少なくとも清掃面に接触させる接触手段を有することを特徴とする吸込口体。
【請求項５】
請求項１又は３若しくは４に記載の吸込口体において、前記壁際用回転清掃体は前進方向に回転駆動させられることを特徴とする吸込口体。
【請求項６】
請求項３に記載の吸込口体において、前記メイン回転清掃体が前進方向に回転駆動させられる際に、前記壁際用回転清掃体を前進方向に回転駆動するように前記メイン回転清掃体に連動させる動力伝達手段を有することを特徴とする吸込口体。
【請求項７】
請求項３に記載の吸込口体において、前記壁際用回転清掃体は、前記メイン回転清掃体と直接接触して、前記メイン回転清掃体の回転により回転駆動されることを特徴とする吸込口体。
【請求項８】
請求項７に記載の吸込口体において、前記壁際用回転清掃体は、前記メイン回転清掃体に対して進退動可能に、且つ前記吸込口本体の前進時に壁に接触して前記壁からの反作用により前記メイン回転清掃体側に移動させられたときに、前記メイン回転清掃体に接触可能に前記吸込口本体に取り付けられていると共に、前記吸込口本体の前進時に前記壁を検出して前記メイン回転清掃体を逆転させ前記壁際用回転清掃体を前進方向に回転させるセンサが設けられていることを特徴とする吸込口体。
【請求項９】
請求項１又は７に記載の吸込口体において、前記壁際用回転清掃体は、清掃面に対して進退動可能に前記吸込口本体に取り付けられ、且つ付勢手段で前記清掃面から浮く方向に付勢されていると共に、前記吸込口本体の前進時に壁に接触して前記壁からの反作用により前記付勢手段による付勢力に抗して前記清掃面側に移動させられたときに、前記清掃面に接触するように設けられていることを特徴とする吸込口体。
【請求項１０】
請求項１〜９のいずれか一つに記載の吸込口体を備えることを特徴とする電気掃除機。
【発明の詳細な説明】
【技術分野】
【０００１】
この発明は、清掃面の塵埃を掻き上げる回転清掃体が設けられた吸込口体及びこれを備える電気掃除機に関するものである。
【背景技術】
【０００２】
従来から電気掃除機に用いられる吸込口体としては、左右に延びる吸込室を有し且つ前記吸込室の吸込開口が底面に開口する吸込口本体と、前記吸込開口に沿って配設され且つ前記吸込口本体に回転自在に保持された回転清掃体と、前記回転清掃体を回転駆動する駆動手段を備える構成のものが知られている（例えば、特許文献１参照）。
【０００３】
この回転清掃体は、ブラシ毛又は可撓性のあるブレード等の塵埃掻き上げ部材を回転軸に取り付けたものが用いられている。この塵埃掻き上げ部材は、回転清掃体の回転に伴い吸込開口から下方に突出して、清掃面の塵埃を掻き上げるようになっている。
【０００４】
しかも、掻き上げられた塵埃は吸込室に作用する吸込負圧により吸込開口から吸込室に吸い込まれるようになっている。そして、この吸い込まれた塵埃は電気掃除機の掃除機本体に設けられた集塵室に捕集されるようになっている。従って、通常は、吸込口体を清掃面上で前後に移動操作することにより、清掃面の塵埃を捕集できる。
【特許文献１】特開平９−４７３９６号公報
【発明の開示】
【発明が解決しようとする課題】
【０００５】
しかしながら、回転清掃体の塵埃掻き上げ部材は、吸込口本体の前側には突出していないので、壁際の清掃を行うことができないものであった。
【０００６】
そこで、この発明は、壁際の清掃も行うことができる吸込口体及びこれを備える電気掃除機を提供することを目的とするものである。
【課題を解決するための手段】
【０００７】
この目的を達成するため、請求項１の発明は、左右に延びる吸込室を有し且つ前記吸込室の吸込開口が底面に開口する吸込口本体と、前記吸込開口に沿って配設され且つ前記吸込口本体に回転駆動可能に保持されたメイン回転清掃体を備える吸込口体において、前記メイン回転清掃体と平行に且つ前記吸込口本体から前側に突出した状態で前記吸込口本体に回転自在に保持された壁際用回転清掃体と、前記壁際用回転清掃体を少なくとも壁際で回転駆動させる駆動手段を備える吸込口体としたことを特徴とする。
【０００８】
また、上述した目的を達成するため、請求項２の発明は、左右に延びる吸込室を有し且つ前記吸込室の吸込開口が底面に開口する吸込口本体と、前記吸込開口に沿って配設され且つ前記吸込口本体に回転自在に保持されたメイン回転清掃体と、前記メイン回転清掃体を回転駆動する駆動手段を備える吸込口体において、前記吸込口本体から前側に突出した状態で前記吸込口本体に回転自在に保持された壁際用回転清掃体を備えていると共に、前記壁際用回転清掃体は前記メイン回転清掃体に連動可能に設けられている吸込口体としたことを特徴とする。
【発明の効果】
【０００９】
このような請求項１の発明によれば、吸込口本体が壁際まで移動したときに、壁際用回転清掃体を回転駆動して、清掃面の壁際の部分の塵埃を壁際用回転清掃体により掻き上げて、吸込室に吸い込ませることができるので、壁際の清掃を確実に行うことができる。
【００１０】
また、請求項２の発明によれば、吸込口本体が壁際まで移動したときに、メイン回転清掃体に連動して壁際用回転清掃体を回転駆動して、清掃面の壁際の部分の塵埃を壁際用回転清掃体により掻き上げて、吸込室に吸い込ませることができるので、メイン回転清掃体の駆動手段とは別の駆動手段を設けることなく、壁際用回転清掃体を壁際で回転駆動して、壁際の清掃を確実に行うことができる。
【発明を実施するための最良の形態】
【００１１】
以下、この発明の実施の形態を図面に基づいて説明する。
[構成]
図１において、１は電気掃除機の掃除機本体、２は掃除機本体１の本体ケース、３は本体ケース２の前部に設けられた集塵室、４は集塵室３内に装着された紙パックフィルタ（集塵フィルタ）、５は本体ケース２の後部内に配設され且つ集塵室３に吸込負圧を作用させる電動送風機である。
【００１２】
この本体ケース２の前端部には、紙パックフィルタ４の図示しない口枠の接続口に連通するホース接続口６が形成されている。このホース接続口６には集塵ホース７の一端部に取り付けた接続筒７ａが着脱可能に嵌着されている。しかも、接続筒７ａは紙パックフィルタ４の図示しない接続口に接続されている。
【００１３】
また、集塵ホース７の他端部には手元操作パイプ８が取り付けられ、手元操作パイプ８には延長管（延長パイプ）９を介して吸込口体１０が接続されている。
【００１４】
尚、図１において、８ａは手元操作パイプ８に設けられた操作パネルである。この操作パネル８ａには、「弱／中」吸込風量切り替え用のスイッチＳ１と、「強」吸込風量用のスイッチＳ２と、「切り」用のスイッチＳ３等が設けられている。
（吸込口体１０）
この吸込口体１０は、図１，図２に示したように、左右に延びる吸込口本体１０ａを有する。この吸込口本体１０ａは、左右に延びる下ケース１１と、下ケース１１上に取り付けられた上ケース１２を有する。この下ケース１１は、図２に示したように、左右方向の両端部に前側に突出する軸受支持部１１ａ，１１ｂを有する。
【００１５】
また、上ケース１２は、下ケース１１の後側に着脱可能に取り付けられた後上ケース１３と、下ケース１１の軸受支持部１１ａ，１１ｂ間の上部を覆うように軸受支持部１１ａ，１１ｂ及び後上ケース１３の前部上に着脱可能に取り付けられた前上ケース（カバー）１４を有する。この前上ケース１４の下方には、図７，図８に示したように、左右に細長く延びる吸込室１５が形成されている。この吸込室１５の左右に延びる吸込開口１５ａは下ケース１１の底面（下面）に開口している。しかも後上ケース１３の左右方向中央部には、図３に示したように吸込室１５に開口する吸込風路１６が形成されている。
また、吸込口体１０は、図１〜図３に示したように、後上ケース１３の左右方向の中央部の後部側に任意の方向に傾動可能に取り付けられた接続パイプ１７を有する。この接続パイプ１７は、吸込風路１６を介して吸込室１５に連通していると共に、延長管９に着脱可能に嵌合接続されている。
【００１６】
更に、吸込口体１０は、図３に示したように吸込開口１５ａに沿って吸込室１５内に配設されたメイン回転清掃体１８を有する。このメイン回転清掃体１８は、左右に延びる回転軸１８ａと、回転軸１８ａに螺旋帯状に保持された複数本のブラシ毛帯（塵埃掻き上げ部材）１８ｂと、回転軸１８ａの両端部を回転自在に保持する方形状の軸受１８ｃ，１８ｄを有する。
【００１７】
この軸受１８ｃ，１８ｄは、軸受支持部１１ａ，１１ｂの上下に延びる係合溝１１ａ１，１１ｂ１に上方から挿入係合させて、前上ケース１４の両端部で押さえ付けることで、前上ケース１４の両端部と軸受支持部１１ａ，１１ｂとの間に保持されている。これにより、回転軸１８ａは軸線回りに回転するように、軸受１８ｃ，１８ｄを介して吸込口本体１０ａに保持されている。尚、この保持の状態の図示は省略してある。
【００１８】
そして、ブラシ毛帯１８ｂは、メイン回転清掃体１８の回転に伴い吸込開口１５ａから下方に突出して、清掃面（床面）Ｓの塵埃を掻き上げるようになっている。尚、下ケース１１の軸受支持部１１ａ，１１ｂには図３に示したように前輪１９，１９が取り付けられ、下ケース１１の後部には図７に示したように後輪２０が取り付けられていて、この前輪１９と後輪２０は図７に示すように下ケース１１を清掃面Ｓから僅かに浮かせている。
【００１９】
また、吸込口体１０は、図３に示したように後上ケース１３と下ケース１１との間に配設され、下ケース１１に取り付けられた駆動モータ（駆動手段）２１と、駆動モータ２１の回転をメイン回転清掃体１８に伝達する動力伝達手段２２を有する。この動力伝達手段２２は、回転軸１８ａの軸受１８ｄ側の端部近傍に固定されたタイミングプーリ１８ｅと、駆動モータ２１の出力軸２１ａに取り付けられたタイミングプーリ２１ｂと、タイミングプーリ１８ｅ，２１ｂに掛け渡されたタイミングベルト２３を有する。
【００２０】
更に、前上ケース１４の左右両端部上には、図１，図２，図７に示したように、前斜め上方に傾斜して、前端部が前上ケース１４の前縁より前側に突出する支持板（支持部材）２４，２４が一体に設けられている。また、前上ケース１４の前側には清掃体支持部材２５が配設されている。
【００２１】
この清掃体支持部材２５は、左右に延びる前板部２５ａと、前板部２５ａの両端部に一体に設けられ且つ支持板２４，２４の外側（支持板２４，２４の対向面側とは反対側）に配設された側板部２５ｂ，２５ｂを有する。この側板部２５ｂ，２５ｂは上下に延びており、この側板部２５ｂ，２５ｂの上端部は左右に延びる回動軸２６を中心に回動可能に支持板２４，２４に取り付けられている。
【００２２】
また、この支持板２４，２４の対向面２４ａには図４〜図６に示したように鈎状のバネ受け２７が形成され、このバネ受け２７と前板部２５ａとの間には図４，図５に示したように回動軸２６に捲回したネジリコイルバネ（回動付勢手段）２８が介装されている。このネジリコイルバネ２８は、通常の状態では、側板部２５ｂが図７に示したように前斜め下方に向けて傾斜するように、清掃体支持部材２５を回動軸２６を中心に上方に回動するようにバネ付勢している。尚、清掃体支持部材２５，回動軸２６及びネジリコイルバネ２８等は支持構造（接触手段）Ｂを構成している。
【００２３】
更に、側板部２５ｂ，２５ｂの下端部間には、図２に示したように左右に延びる壁際用回転清掃体２９が配設されている。この壁際用回転清掃体２９は、図７Ａ，図８Ａに示したように、両端部が側板部２５ｂ，２５ｂの下端部に回転自在に保持された回転軸２９ａと、回転軸２９ａに螺旋帯状に取り付けられた複数のブラシ毛帯（塵埃掻き上げ部材）２９ｂを有する。
【００２４】
この壁際用回転清掃体２９は、図７に示したように、通常、清掃面Ｓから上方に浮いている（離反している）と共に、メイン回転清掃体１８から前側に離反している。
【００２５】
また、支持板２４には、図７に示したように、壁際検出用のセンサ（壁際検出手段）であるマイクロスイッチ３０が取り付けられている。
【００２６】
しかも、壁際用回転清掃体２９は、図７のようにメイン回転清掃体１８から離反している状態から、図８（ａ）のように壁３１に当たった後に図８（ｂ）のようにメイン回転清掃体１８に接触する位置まで後方に移動させられたときに、側板部２５ｂをネジリコイルバネ２８のバネ力に抗して回動軸２６を中心に後方に回動させて、側板部２５ｂでマイクロスイッチ３０をＯＮさせるようになっている。そして、このマイクロスイッチ３０からのＯＮ信号（壁検出信号）は図９の演算制御回路（制御手段）３２に入力されるようになっている。尚、操作パネル８ａからの操作信号も演算制御回路３２に入力されるようになっている。また、この演算制御回路３２は、電動送風機５及び駆動モータ２１を回転制御するようになっている。
[作用]
次に、このような構成の電気掃除機の作用を説明する。
（１）通常の清掃面Ｓの清掃
手元操作パイプ８に設けた「弱／中」吸込風量切り替え用のスイッチＳ１又は「強」吸込風量用のスイッチＳ２をオン操作すると、演算制御回路３２が電動送風機５を作動させ、電動送風機５の吸込負圧を集塵室３に作用させる。
【００２７】
この集塵室３に作用する吸込負圧は、図１の状態で紙パックフィルタ４，集塵ホース７，手元操作パイプ８，延長管９，接続パイプ１７を介して吸込口本体１０ａの吸込室１５に作用する。
【００２８】
一方、壁際用回転清掃体２９が図７，図８の壁３１に当たっていない状態では、図４〜図６のネジリコイルバネ２８のバネ力により清掃体支持部材２５の側板部２５ｂが図７、図７Ａに示したように前斜め下方に向いて傾斜していて、側板部２５ｂの下端部に保持させた壁際用回転清掃体２９が清掃面Ｓから浮いている（離間している）と共に、壁際用回転清掃体２９がメイン回転清掃体１８から前側に離間している。
【００２９】
この状態では、演算制御回路３２は、スイッチＳ１，Ｓ２のＯＮ操作により駆動モータ２１を作動制御して、駆動モータ２１の回転を動力伝達手段２２のタイミングプーリ２１ｂ，１８ｅ及びタイミングベルト２３を介してメイン回転清掃体１８に伝達させ、メイン回転清掃体１８を図７の矢印Ａ１で示したように反時計回り方向（吸込口体１０に前進方向への回転力を与える回転方向）に回転させる。
【００３０】
これにより、メイン回転清掃体１８は、回転しながらブラシ毛帯１８ｂの一部を吸込開口１５ａから下方に突出して、ブラシ毛帯１８ｂにより清掃面Ｓの塵埃を後方に掻き上げさせる。
【００３１】
そして、吸込室１５に作用する吸込負圧は、清掃面Ｓの塵埃の一部を直接エア（空気）と共に吸込室１５内に吸い込む一方、メイン回転清掃体１８で掻き上げられた清掃面Ｓの塵埃をエア（空気）と共に吸込室１５内に吸い込むことになる。
さらに、吸込室１５内に吸い込まれた塵埃を含むエアは、接続パイプ１７延長管９，手元操作パイプ８及び集塵ホース７を介して紙パックフィルタ４内に吸い込まれて、紙パックフィルタ４を透過する。
【００３２】
この際、エアと共に吸い込まれる塵埃が紙パックフィルタ４に捕捉され、紙パックフィルタ４を透過するエアが清浄される。この清浄されたエアは、電動送風機５に吸い込まれて内部を冷却した後、最終的に外部に排気される。
【００３３】
従って、吸込口体１０の吸込口本体１０ａを清掃面Ｓに沿って前進移動させることにより、通常の状態での清掃を行うことができる。
（２）壁際の清掃
このような清掃作業に伴い、吸込口体１０を壁３１側に移動させると、壁際用回転清掃体２９が先ず図８（ａ）のように壁３１に当たる。この状態から吸込口体１０を更に壁３１側に移動させると、壁際用回転清掃体２９及び側板部２５ｂが図４〜図６のネジリコイルバネ２８のバネ力に抗して回動軸２６を中心に後方に一体に回動させられる。
【００３４】
そして、この回動に伴い壁際用回転清掃体２９は、図８（ｂ）、図８Ａのようにメイン回転清掃体１８に接触させられて、メイン回転清掃体１８の回転力により矢印Ａ２で示したようにメイン回転清掃体１８とは反対方向（時計回り方向）に回転させられると共に、壁際用回転清掃体２９が清掃面Ｓに接触させられて、清掃面Ｓの壁３１付近（壁際付近）の塵埃を掻き上げる。
【００３５】
尚、図８（ｂ）では壁際用回転清掃体２９のブラシ毛帯２９ａが清掃面Ｓの壁３１に接する境目である壁際の部分に達していない状態で図示しているが、実際には更に吸込口体１０を僅かに壁３１側に移動させることで、ブラシ毛帯２９ａが撓んで清掃面Ｓの壁際の部分全体に接することができる。
【００３６】
従って、壁際用回転清掃体２９のブラシ毛帯２９ａは清掃面Ｓの壁際全体の塵埃を掻き上げることができる。尚、図８（ｂ）の状態では、清掃面Ｓの壁際の部分の塵埃が壁際用回転清掃体２９のブラシ毛帯２９ａにより壁３１側に掻き上げられ、この掻き上げられた塵埃は壁際用回転清掃体２９の上部側からメイン回転清掃体１８側に移動させられる。しかも、この移動させられた塵埃は、メイン回転清掃体１８により再度掻き上げられて吸込室１５内に吸い込まれることになる。
【００３７】
また、図８（ｂ）のようにメイン回転清掃体１８に接触させられた位置では、側板部２５ｂがマイクロスイッチ３０をＯＮさせられて、マイクロスイッチ３０のＯＮ信号（壁検出信号）が演算制御回路３２に入力されている。従って、壁３１を検出したときには、演算制御回路３２により駆動モータ２１の回転を遅くして、回転清掃体１８，２９の回転を遅くすることもできる。
（変形例１）
ところで、上述のように壁際用回転清掃体２９で掻き上げられた塵埃が吸込室１５に吸い込まれるまでの経路が長くなるので、この経路を短くするには壁際用回転清掃体２９を図８（ｂ）とは反対方向に回転させるとよい。
【００３８】
この場合、演算制御回路３２は、マイクロスイッチ３０がＯＮして壁３１を検出したときに、このＯＮ信号を受けて駆動モータ２１を逆転させるようにする。これにより、メイン回転清掃体１８の回転が図８（ｃ）の矢印Ａ３で示したように時計回り方向に回転させられると共に、壁際用回転清掃体２９がメイン回転清掃体１８の回転力により矢印Ａ４で示したように反時計回り方向に回転させられる。
【００３９】
これに伴い、清掃面Ｓの壁際の塵埃は壁際用回転清掃体２９によりメイン回転清掃体１８側に掻き上げられる一方、メイン回転清掃体１８は清掃面Ｓの塵埃を壁際用回転清掃体２９側に掻き上げるので、この掻き上げられた塵埃は回転清掃体１８，２９により上方に移動させられて、メイン回転清掃体１８と前上ケース１４との隙間から吸込室１５内に吸い込まれることになる。尚、メイン回転清掃体１８の複数のブラシ毛帯１８ｂ間には吸込室１５の負圧による吸込室１５への流れが生じているので、掻き上げられた塵埃はこの流れに沿って吸込室１５に吸い込まれる。
【００４０】
この結果、壁際用回転清掃体２９により掻き上げられる塵埃が吸込室１５に吸い込まれる経路が短くなる。
（変形例２）
また、上述した吸込口体１０の構成に加えて、図１０に示したように、メイン回転清掃体１８に接触するアイドルブラシ３３（メイン回転清掃体１８よりも十分に小径のブラシ）を設けた構成としても良い。この場合、アイドルブラシ３３は、メイン回転清掃体１８と平行に設けると共に、両端部を図３の下ケース１１の軸受支持部１１ａ，１１ｂに回転自在に保持させる。
【００４１】
この構成においても、図１０のように壁際用回転清掃体２９が壁３１に接触していない状態では、壁際用回転清掃体２９が図４〜図６のネジリコイルバネ２８のバネ力（付勢力）によりアイドルブラシ３３から前側に離間させられていると共に清掃面Ｓから上方に浮いた状態となっている。
【００４２】
この状態で演算制御回路３２は、スイッチＳ１，Ｓ２のＯＮ操作により駆動モータ２１を作動制御して、駆動モータ２１の回転を動力伝達手段２２のタイミングプーリ２１ｂ，１８ｅ及びタイミングベルト２３を介してメイン回転清掃体１８に伝達させ、メイン回転清掃体１８を図７の矢印Ａ１で示したように反時計回り方向（吸込口体１０に前進方向への回転力を与える回転方向）に回転させ、メイン回転清掃体１８のみにより清掃面Ｓの塵埃が掻き上げる。
【００４３】
この際、アイドルブラシ３３は、メイン回転清掃体１８の回転力により、メイン回転清掃体１８の回転方向とは反対方向に回転させられる。
【００４４】
一方、スイッチＳ１，Ｓ２のＯＮ操作により電動送風機５が駆動されて、電動送風機５による吸込負圧が吸込口体１０の吸込室１５に作用しているので、清掃面Ｓの塵埃に一部及びメイン回転清掃体１８により掻き上げられた塵埃が、空気と共に吸込室１５に吸い込まれて、紙パックフィルタ４に捕捉される。
【００４５】
従って、吸込口体１０を清掃面Ｓ上で移動操作することにより、清掃面Ｓの塵埃がメイン回転清掃体１８により掻き上げられて吸込室１５に吸い込まれ、上述したように紙パックフィルタ４に捕捉される。
【００４６】
そして、吸込口体１０を壁３１側に前進移動させると、先ず図８（ａ）のように壁際用回転清掃体２９が壁３１に接触させられる。この位置から吸込口体１０を図１１のように更に壁３１側に移動させると、壁際用回転清掃体２９が壁３１に相対的に押される状態となって、壁際用回転清掃体２９及びこれを支持する側板部２５ｂがネジリコイルバネ２８のバネ力（付勢力）に抗してアイドルブラシ３３側に移動させられ、壁際用回転清掃体２９がアイドルブラシ３３に接触すると共に、壁際用回転清掃体２９が清掃面Ｓに接触した状態となる。
【００４７】
これにより、壁際用回転清掃体２９にはアイドルブラシ３３を介してメイン回転清掃体１８の回転が伝達されるので、壁際用回転清掃体２９はメイン回転清掃体１８と同方向に回転させられて、壁際用回転清掃体２９のブラシ毛帯２９ｂが壁際の塵埃をメイン回転清掃体１８側に掻き上げる。そして、この掻き上げられた塵埃は、清掃面Ｓ上に落下して最終的にメイン回転清掃体１８により掻き上げられて吸込室１５内に吸い込まれ、上述したように紙パックフィルタ４に捕捉される。
【００４８】
以上説明したように、この発明の実施の形態の吸込口体１０は、左右に延びる吸込室１５を有し且つ前記吸込室１５の吸込開口１５ａが底面に開口する吸込口本体１０ａと、前記吸込開口１０ａに沿って配設され且つ前記吸込口本体１０ａに回転駆動可能に保持されたメイン回転清掃体１８を備えている。しかも、吸込口体１０は、前記メイン回転清掃体１８と平行に且つ前記吸込口本体１０ａから前側に突出した状態で前記吸込口本体１０ａに回転自在に保持された壁際用回転清掃体２９と、前記壁際用回転清掃体２９を少なくとも壁際で回転駆動させる駆動手段（駆動モータ２１）を備えている。
【００４９】
このような構成によれば、吸込口本体１０ａが壁際まで移動したときに、壁際用回転清掃体２９を回転駆動して、清掃面Ｓの壁際の部分の塵埃を壁際用回転清掃体２９により掻き上げて、吸込室１５に吸い込ませることができるので、壁際の清掃を確実に行うことができる。
【００５０】
また、この発明の実施の形態の吸込口体１０は、左右に延びる吸込室１５を有し且つ前記吸込室１５の吸込開口１５ａが底面に開口する吸込口本体１０ａと、前記吸込開口１０ａに沿って配設され且つ前記吸込口本体１０ａに回転自在に保持されたメイン回転清掃体１８と、前記メイン回転清掃体１８を回転駆動する駆動手段（駆動モータ２１）を備えている。しかも、吸込口体１０は、前記吸込口本体１０ａから前側に突出した状態で前記吸込口本体１０ａに回転自在に保持された壁際用回転清掃体２９を備えていると共に、前記壁際用回転清掃体２９は前記メイン回転清掃体１８に連動可能に設けられている。
【００５１】
このような発明によれば、吸込口本体１０ａが壁際まで移動したときに、メイン回転清掃体１８に連動して壁際用回転清掃体２９を回転駆動して、清掃面Ｓの壁際の部分の塵埃を壁際用回転清掃体２９により掻き上げて、吸込室１５に吸い込ませることができるので、メイン回転清掃体１８の駆動手段とは別の駆動手段を設けることなく、壁際用回転清掃体２９を壁際で回転駆動して、壁際の清掃を確実に行うことができる。更に、この壁際用回転清掃体２９は前記メイン回転清掃体１８と平行に保持されている。
【００５２】
また、この発明の実施の形態の吸込口体１０において、前記壁際用回転清掃体２９が壁際まで前進移動したときに、前記壁際を感知して前記壁際用回転清掃体２９を少なくとも清掃面Ｓに接触させる接触手段（清掃体支持部材２５，回動軸２６及びネジリコイルバネ２８等からなる支持構造Ｂ）を有する。
【００５３】
この構成によれば、壁際用回転清掃体２９は壁際でのみ清掃面Ｓに接触するので、メイン回転清掃体１８による通常の清掃面Ｓの清掃時に壁際用回転清掃体２９が負荷とならないので、駆動手段（駆動モータ２１）への負荷を小さくして消費電力を押さえることができる。
【００５４】
更に、この発明の実施の形態の吸込口体１０において、前記壁際用回転清掃体２９は前進方向に回転駆動させられるようになっている。この構成によれば、壁際用回転清掃体２９は、壁際の塵埃をメイン回転清掃体１８側に掻き上げて、この塵埃をメイン回転清掃体１８により再度掻き上げて、吸込室１５に吸い込ませることができる。
【００５５】
更に、この発明の実施の形態の吸込口体１０において、前記メイン回転清掃体１８が前進方向に回転駆動させられる際に、前記壁際用回転清掃体２９を前進方向に回転駆動するように前記メイン回転清掃体１８に連動させる動力伝達手段２２を有する。
【００５６】
この構成によれば、メイン回転清掃体１８が前進方向に回転して、吸込口体１０を壁３１側に前進させようとしている状態で、壁際用回転清掃体２９を前進方向に回転駆動させて、壁際用回転清掃体２９にも吸込口体１０を壁３１側へ移動させる移動力を作用させることで、壁際用回転清掃体２９が壁際で清掃面Ｓに接触した後は、吸込口体１０を壁３１側に押さなくても、壁際の塵埃をより確実に壁際用回転清掃体２９でメイン回転清掃体１８側に掻き上げ、この掻き上げた塵埃を再度メイン回転清掃体１８により掻き上げて吸込室１５に吸い込ませることができる。
【００５７】
また、この発明の実施の形態の吸込口体１０において、前記壁際用回転清掃体２９は、前記メイン回転清掃体１８と直接接触して、前記メイン回転清掃体１８の回転により回転駆動されるようになっている。
【００５８】
この構成によれば、簡単な構成で壁際用回転清掃体２９を回転駆動させることができる。
【００５９】
更に、この発明の実施の形態の吸込口体において、前記壁際用回転清掃体２９は、前記メイン回転清掃体１８に対して進退動可能に、且つ前記吸込口本体１０ａの前進時に壁３１に接触して前記壁３１からの反作用により前記メイン回転清掃体１８側に移動させられたときに、前記メイン回転清掃体１８に接触可能に前記吸込口本体１０ａに取り付けられていると共に、前記吸込口本体１０ａの前進時に前記壁３１を検出して前記メイン回転清掃体１８を逆転させ前記壁際用回転清掃体２９を前進方向に回転させるセンサ（マイクロスイッチ３０）が設けられている。
【００６０】
この構成によれば、壁際においてメイン回転清掃体１８及び前記壁際用回転清掃体２９は、清掃面Ｓの塵埃をメイン回転清掃体１８と前記壁際用回転清掃体２９との間に塵埃を掻き上げ、掻き上げた塵埃を吸込室１５に吸い込むことができるので、掻き上げた塵埃が舞い上がるようなことはない。
【００６１】
また、この発明の実施の形態の吸込口体１０において、前記壁際用回転清掃体２９は、清掃面Ｓに対して進退動可能に前記吸込口本体１０ａに取り付けられ、且つ付勢手段（ネジリコイルバネ２８）で前記清掃面Ｓから浮く方向に付勢されていると共に、前記吸込口本体１０ａの前進時に壁３１に接触して前記壁３１からの反作用により前記付勢手段（ネジリコイルバネ２８）による付勢力に抗して前記清掃面Ｓ側に移動させられたときに、前記清掃面Ｓに接触するように設けられている。
【００６２】
この構成によれば、簡単な構成で壁際用回転清掃体２９を壁際でのみ清掃面Ｓに接触させることができる。
【００６３】
このような吸込口体１０を備える電気掃除機は、上述した吸込口体１０の効果を有する。
【図面の簡単な説明】
【００６４】
【図１】この発明に係る吸込口体及び電気掃除機の概略斜視図である。
【図２】図１の吸込口体を別の角度から見た斜視図である。
【図３】図１，２の吸込口体の前上ケースを取り外した状態の斜視図である。
【図４】図２の清掃体支持部材の取付部の要部断面図である。
【図５】図４を矢印Ｃ１方向から見た説明図である。
【図６】図４のＣ２−Ｃ２線に沿う断面図である。
【図７】図１，図２の吸込口体の作用を説明するための概略説明図である。
【図７Ａ】図７のメイン回転清掃体と壁際用回転清掃体の状態を吸込口体の底面側から見た説明図である。
【図８】（ａ）は図７の壁際用回転清掃体が壁に接触した状態の作用説明図、（ｂ）は（ａ）の壁際用回転清掃体がメイン回転清掃体に接触した状態の作用説明図、（ｃ）は（ｂ）のメイン回転清掃体と壁際用回転清掃体の回転方向を変えた状態の作用説明図である。
【図８Ａ】図８（ｂ）又は（ｃ）のメイン回転清掃体と壁際用回転清掃体の状態を吸込口体の底面側から見た説明図である。
【図９】この発明の電気掃除機の制御回路図である。
【図１０】この発明の吸込口体の変形例を示す概略作用説明図である。
【図１１】図１０のメイン回転清掃体と壁際用回転清掃体が連動している状態を示す概略作用説明図である。
【符号の説明】
【００６５】
１０…吸込口体
１０ａ…吸込口本体
１５…吸込室
１５ａ…吸込開口
１８…メイン回転清掃体
２１…駆動モータ（駆動手段）
２２…動力伝達手段
２８…ネジリコイルバネ（付勢手段）
２９…壁際用回転清掃体
３０…マイクロスイッチ（センサ）
Ｓ…清掃面
Ｂ…指示構造（接触手段）
【図１】
2006340848.tif 000003
【図２】
2006340848.tif 000004
【図３】
2006340848.tif 000005
【図４】
2006340848.tif 000006
【図５】
2006340848.tif 000007
【図６】
2006340848.tif 000008
【図７】
2006340848.tif 000009
【図７Ａ】
2006340848.tif 000010
【図８】
2006340848.tif 000011
【図８Ａ】
2006340848.tif 000012
【図９】
2006340848.tif 000013
【図１０】
2006340848.tif 000014
【図１１】
2006340848.tif 000015
【手続補正書】
【提出日】平成17年6月17日(2005.6.17)
【手続補正１】
【補正対象書類名】図面
【補正対象項目名】図７
【補正方法】変更
【補正の内容】
【図７】
2006340848.tif 000016
【手続補正２】
【補正対象書類名】図面
【補正対象項目名】図８
【補正方法】変更
【補正の内容】
【図８】
2006340848.tif 000017